(57)【要約】【課題】検体がヘッド部に付着した検体採取器具の前記ヘッド部を容易に折り切ることができる検体用容器を提供する。【解決手段】一端が開口され且つ他端が閉鎖された筒状の本体容器と、該本体容器の開口端を水密できる蓋と、前記本体容器の開口を少なくとも２つに区画する壁とを有し、検体がヘッド部に付着した検体採取器具の前記ヘッド部を本体容器の開口から挿入し、前記の開口を区画する壁を利用して、前記ヘッド部を折り切ることができる、検体用容器。【選択図】図９
2011058805.tif 000002
【特許請求の範囲】
【請求項１】
一端が開口され且つ他端が閉鎖された筒状の本体容器と、該本体容器の開口端を水密できる蓋と、前記本体容器の開口を少なくとも２つに区画する壁とを有し、
検体がヘッド部に付着した検体採取器具の前記ヘッド部を本体容器の開口から挿入し、前記の開口を区画する壁を利用して、前記ヘッド部を折り切ることができる、検体用容器。
【請求項２】
前記の検体採取器具は、ヘッド部を折り切りやすくするための折り目を有する、請求項１に記載の検体用容器。
【請求項３】
前記の検体採取器具は、綿棒、スワブ、サイトピックもしくはブラシである、請求項１または２に記載の検体用容器。
【請求項４】
一端が開口され且つ他端が閉鎖された筒状の本体容器と、該本体容器の開口端を水密できる蓋と、前記本体容器の開口を少なくとも２つに区画する壁とを有し、検体がヘッド部に付着した検体採取器具の前記ヘッド部を本体容器の開口から挿入し、前記の開口を区画する壁を利用して、前記ヘッド部を折り切ることができる、検体用容器と、
綿棒、スワブ、サイトピックおよびブラシからなる群から選ばれる少なくとも１つの検体採取器具と、
からなる検体採取キット。
【発明の詳細な説明】
【技術分野】
【０００１】
本発明は、採取した検体を収容することができる検体用容器に関する。より詳細に、本発明は、検体がヘッド部に付着した検体採取器具の前記ヘッド部を折り切って、採取した検体を収容することができる検体用容器に関する。
に関する。
【背景技術】
【０００２】
植物や動物などから検体（細菌、ウイルス、細胞など）を、綿棒、スワブ、サイトピック、ブラシなどの検体採取器具で採取し、検体がヘッド部に付着した検体採取器具の前記ヘッド部を保存液や培養液や処理液などが入った容器に入れ、該容器の開口を蓋で水密して、該容器を専門の検査機関等に送付したり、該容器内で検体を培養したり、農医薬用物質のin vitro試験を行ったりすることができる。
【０００３】
このような検体用容器として、例えば、特許文献１には、生体の粘膜から採取される検査用の検体がヘッド部に付着した１本又は複数本の検体採取器具を前記ヘッド部が保存液に浸漬されるように保存液が収容された本体容器と、該本体容器の上部にねじ止めされ該本体容器を水密状態に保持するための蓋とからなる保存容器に前記１本又は複数本の検体採取器具を収容してなることを特徴とする検体の保存容器が開示されている。特許文献１の保存容器においては、検体採取器具のハンドル部をニッパー等の工具で切断してヘッド部を保存容器に落としている。
【先行技術文献】
【特許文献】
【０００４】
【特許文献１】実用新案登録第３１５０８２６号公報
【発明の概要】
【発明が解決しようとする課題】
【０００５】
検体用容器に検体採取器具のヘッド部を切り落とすために、ニッパー等の工具をその都度取り出し、一方の手で該工具を持ち、他方の手で検体用容器と検体採取器具とを一緒に把持する必要があったので、採取した検体を容器に収容する作業の効率が低かった。また、検体採取器具として、ヘッド部を折り切りやすくするためにハンドル部に折り目が入れられたものが市販されている。この折り目付きの検体採取器具は、工具無しでヘッド部を切り落とすことができるが、一方の手は容器を保持するために使用されているので、検体採取器具を他方の手だけで折り切る必要がある。片手でヘッド部を折り切るにはある程度の熟練を要する。また、折り目以外の場所で折り切られることがあった。さらに、折り切るときの力があまって、容器や周辺の器具等を転倒させたり、液を溢したりするような危険性があった。
本発明の課題は、検体がヘッド部に付着した検体採取器具の前記ヘッド部を容易に折り切ることができる検体用容器を提供することにある。
【課題を解決するための手段】
【０００６】
本発明者は、上記課題を解決するべく鋭意検討した結果、本体容器の開口を少なくとも２つに区画する壁を本体容器の開口に設けて、検体がヘッド部に付着した検体採取器具の前記ヘッド部を本体容器の開口から挿入し、本体容器の内壁に前記ヘッド部を押し付け且つ開口を区画する壁に前記ヘッド部よりも近位端側のハンドル部を押し付けることによって、前記ヘッド部を容易に折り切ることができることを見出した。本発明はこの知見に基づいてさらに検討を加え完成するに至ったものである。
【０００７】
すなわち、本発明は以下のものを含むものである。
〈１〉  一端が開口され且つ他端が閉鎖された筒状の本体容器と、該本体容器の開口端を水密できる蓋と、前記本体容器の開口を少なくとも２つに区画する壁とを有し、
検体がヘッド部に付着した検体採取器具の前記ヘッド部を本体容器の開口から挿入し、前記の開口を区画する壁を利用して、前記ヘッド部を折り切ることができる、検体用容器。
〈２〉  前記の検体採取器具は、ヘッド部を折り切りやすくするための折り目を有する、前記〈１〉に記載の検体用容器。
〈３〉  前記の検体採取器具は、綿棒、スワブ、サイトピックもしくはブラシである、前記〈１〉または〈２〉に記載の検体用容器。
【０００８】
〈４〉  一端が開口され且つ他端が閉鎖された筒状の本体容器と、該本体容器の開口端を水密できる蓋と、前記本体容器の開口を少なくとも２つに区画する壁とを有し、検体がヘッド部に付着した検体採取器具の前記ヘッド部を本体容器の開口から挿入し、前記の開口を区画する壁を利用して、前記ヘッド部を折り切ることができる、検体用容器と、  綿棒、スワブ、サイトピックおよびブラシからなる群から選ばれる少なくとも１つの検体採取器具と、  からなる検体採取キット。
【発明の効果】
【０００９】
本発明に係る検体用容器および検体採取キットを用いることによって、検体がヘッド部に付着した検体採取器具の前記ヘッド部を容易に折り切ることができ、採取した検体を安全に収容することができる。
【図面の簡単な説明】
【００１０】
【図１】本発明に係る検体用容器の本体容器および蓋の側面図である。
【図２】本発明に用いることができる検体採取器具の正面図である。
【図３】図２に示した検体採取器具の側面図である。
【図４】図２に示した検体採取器具のヘッド部の直ぐ後ろ側のハンドル部を折り切った状態を示す図である。
【図５】図２に示した検体採取器具のヘッド部から少し離れた後ろ側のハンドル部を折り切った状態を示す図である。
【図６】図１に示した本発明に係る検体用容器の本体容器の上面図である。
【図７】図１に示した本発明に係る検体用容器の本体容器のＩ−Ｉ’断面図である。
【図８】検体採取器具のヘッド部を本体容器の開口から挿入した状態を示す図である。
【図９】本体容器の内壁に検体採取器具のヘッド部を押し付け且つ開口を区画する壁に前記ヘッド部よりも近位端側のハンドル部を押し付けた状態を示す図である。
【図１０】検体採取器具のヘッド部を折り切った状態を示す図である。
【発明を実施するための形態】
【００１１】
次に、図面に示した本発明の実施形態を参照して、本発明をより具体的に説明する。ただし、本発明は以下の実施形態によって限定されるものではない。
【００１２】
図１は本発明に係る検体用容器の本体容器および蓋の側面図である。図６は図１に示した本発明に係る検体用容器の本体容器の上面図である。図７は、図１に示した本発明に係る検体用容器の本体容器のＩ−Ｉ’断面図である。
【００１３】
本発明に係る検体用容器は本体容器１と蓋２とを有する。本体容器１は、一端が開口され且つ他端が閉鎖された筒状を成している。筒の内径は、一端から他端までの間が同一であってもよいし、一端から他端までの間で変動するものであってもよい。図面では、開口側壁１２には、蓋２を螺着できるように螺子突起１４が設けられている。蓋２は本体容器１を水密できるものであれば、特に制限されない。例えば、蓋の内側にゴムや紙などからなるパッキングが嵌められていて、蓋内側の螺子溝と開口側壁外側の螺子突起とを螺合させることによって、開口側壁１２の上端に該パッキングを密着させて水密にすることができる。本体容器は中の状態を観察できるように、無色透明または有色透明な材料で作られたものが好ましい。たとえば、本体容器としてプラスチック製やガラス製のものが挙げられる。
【００１４】
本体容器１の開口部には、開口を少なくとも２つに区画する壁１３が設置されている。図面に示した容器では直線状の壁で開口を２分割しているが、それに限定されない。例えば、Ｙ字状の壁で開口を３分割してもよいし、十字状の壁で開口を４分割してもよい。区画数は開口の大きさに応じて適宜に選択できる。
壁１３の大きさは開口を区画できるものであれば特に限定されない。壁１３の下端は、開口側壁の下端のあたりにあるのが、検体採取器具の抜き差しが容易になるので好ましい。また、壁は、検体採取器具を押し付けたときに、曲がったり、折れたりしない程度の強度を持つ材料で作られたものであることが好ましい。たとえば、壁としてプラスチック製や木製のものが挙げられる。
【００１５】
壁１３は、例えば、開口側壁１２の内面に密着するように嵌め入れることで設置することができる。密着するように嵌め入れられた壁１３は、検体採取器具を押し付けたときに、開口部から脱落しない程度の強度で設置されていることが好ましい。
壁１３は、後述する検体採取器具のヘッド部を折り切った後は、特に必要が無いので、本体容器１から取り外し可能なものであることが好ましい。開口側壁１２の内面に密着するように嵌め入れただけの壁１３は、指で該壁１３を摘まんで引き抜くことができる。本体容器１の開口が小さい場合には、ピンセットや鉗子等を用いて壁１３を引き抜くことができる。
【００１６】
図２は、本発明に用いることができる検体採取器具の正面図である。図３は、図２に示した検体採取器具の側面図である。図４は、図２に示した検体採取器具のヘッド部の直ぐ後ろ側を折り切った状態を示す図である。図５は、図２に示した検体採取器具のヘッド部から少し後ろ側を折り切った状態を示す図である。
【００１７】
本発明に用いることができる検体採取器具は、植物や動物などから検体（細菌、ウイルス、細胞など）を採取するために用いられるものである。図面にはサンプリングスワブが示されている。検体採取器具としては、スワブ以外に、綿棒、サイトピック、ブラシなどが挙げられる。
【００１８】
図面に示した検体採取器具３は、ヘッド部３１と、そのヘッド部を操作するためのハンドル部とからなる。ハンドル部は、コア部材（ヘッド部３１に隠れて見えない。）と柄３４ａと柄３４ｂとが一体となった棒状部材である。コア部材に綿布、綿紗、ポリエステルニット、ポリエステル不織布などを被着させることによって、ヘッド部３１を形成させている。コア部材と柄３４ａとの間に折り目３２があり、柄３４ｂと柄３４ａとの間に折り目３３がある。これらの折り目はハンドル部を折り切りやすくするためのものである。図４は折り目３２で折り切った状態を示す図である。図５は折り目３３で折り切った状態を示す図である。
【００１９】
該ハンドル部は、検体採取器具３を壁１１と壁１３とに押し付けたときに折り切ることができる程度の強度を有するものであれば特に制限されない。例えば、ハンドル部としてプラスチック製や木製や紙製のものが挙げられる。
【００２０】
図８は検体採取器具のヘッド部を本体容器の開口から挿入した状態を示す図である。図９は本体容器の内壁に検体採取器具のヘッド部を押し付け且つ開口を区画する壁に前記ヘッド部よりも近位端側のハンドル部を押し付けた状態を示す図である。図１０は検体採取器具のヘッド部を折り切った状態を示す図である。
【００２１】
本発明に係る検体用容器では、検体がヘッド部３１に付着した検体採取器具３の前記ヘッド部３１を本体容器１の開口から挿入し、前記の開口を区画する壁１３を利用して、前記ヘッド部３１を折り切ることができる。
ヘッド部３１を折り切るために、壁１３は梃子の支点等として利用される。例えば、図８〜１０に示すように、検体がヘッド部３１に付着した検体採取器具３の前記ヘッド部３１を本体容器１の開口から挿入し、本体容器の壁１１または壁１２に前記ヘッド部３１を押し付け且つ開口を区画する壁１３に検体採取器具３の近位端側の部分（図面では柄３４ａ）を押し付けて、前記ヘッド部を折り切ることができる。
壁１３に押し付ける検体採取器具３の近位端側の部分は、図面に示したものに限定されず、例えば、壁１３に折り目３２または折り目３３を押し付けることができる。壁１３に折り目を押し付けると、該折り目で折り切られ易くなる。
【００２２】
また、別の折り切り方法として、検体がヘッド部３１に付着した検体採取器具３の前記ヘッド部３１を本体容器１の開口から挿入し、開口を区画する壁１３に前記ヘッド部３１を下から押し付け且つ本体容器開口部の側壁１２に検体採取器具３の近位端側の部分を押し付けて、前記ヘッド部を折り切ることができる。壁１２に押し付ける検体採取器具３の近位端側の部分は、特に限定されないが、例えば、壁１２に折り目３２または折り目３３を押し付けることができる。壁１２に折り目を押し付けると、該折り目で折り切られ易くなる。
【００２３】
折り切られたヘッド部には、植物や動物などから採取した検体（細菌、ウイルス、細胞など）が付着しているので、検体用容器に目的に応じた保存液や培養液や処理液などを入れて、所望の検査などを行うことができる。
【００２４】
さらに、本発明によれば、本発明に係る検体用容器と、綿棒、スワブ、サイトピックおよびブラシからなる群から選ばれる少なくとも１つの検体採取器具とを、少なくとも構成要素とする、検体採取キットを提供することができる。検体用容器とそれに適した検体採取器具とがセットになっていることで、それぞれの器具を揃える手間が省け、試験等の操作効率が高くなる。
【符号の説明】
【００２５】
１：本体容器
１１：本体容器側壁
１２：開口部側壁
１３：開口を区画する壁
１４：螺子の突起
２：蓋
３：検体採取器具（スワブ）
３１：ヘッド部
３２：折り目
３３：折り目
３４ａ：遠位端側の柄
３４ｂ：近位端側の柄
【図１】
2011058805.tif 000003
【図２】
2011058805.tif 000004
【図３】
2011058805.tif 000005
【図４】
2011058805.tif 000006
【図５】
2011058805.tif 000007
【図６】
2011058805.tif 000008
【図７】
2011058805.tif 000009
【図８】
2011058805.tif 000010
【図９】
2011058805.tif 000011
【図１０】
2011058805.tif 000012